(57)【要約】  【課題】  複数いる巡視員の習熟度・個人差に影響されることなく同じ監視地点での正確な計測を可能とし、適格な放射線管理を実現するとともに、サーベイデータの管理を容易にして、変化を検出作業位置で直ちに確認できるように配慮したサーベイメータを提供する。  【解決手段】  過去に計測したサーベイデータを、例えばＩＣタグ・ＩＣカードのような非接触型の通信型メモリ３００に保存し、パトロールの都度、この過去のサーベイデータを通信型メモリ３００から読み出すようなサーベイメータ１００とした。サーベイメータ１００が通信型メモリ３００から過去のサーベイデータを読み出せる範囲内に近づいたときにサーベイを行うようにして検出作業位置を限定し、ピンポイントの定点サーベイを実現する。また、検出作業位置で過去のサーベイデータと比較して異常を発見できるようにしたため、異常発生原因に対する迅速な対応を可能とした。【選択図】  図２
2006058103.tif 000002
【特許請求の範囲】
【請求項１】
放射線を監視する監視地点に設置された通信型メモリと通信するサーベイメータであって、
放射線を検出して検出データを出力する検出部と、
取り外し可能なカードメモリに対してサーベイデータを読み書きする読み書き装置と、
アンテナと通信信号を入出力するリードライト装置と、
通信型メモリと無線で通信するアンテナと、
グラフィック表示および／またはテキスト表示を行う表示部と、
監視地点に設置された通信型メモリと電磁結合されたか否かを判定する電磁結合判定手段と、
通信型メモリと電磁結合されたと判断される場合に、監視地点に設置された通信型メモリから過去のサーベイデータを読み出すようにリードライト装置を制御する通信型メモリ読出制御手段と、
検出部から出力された検出データに基づいて当回のサーベイデータを生成するサーベイデータ生成手段と、
過去のサーベイデータを当回のサーベイデータに組み合わせて生成した比較表示用のグラフィック表示データまたはテキスト表示データを表示部に出力させるように制御する表示部出力制御手段と、
過去のサーベイデータと当回のサーベイデータとを組み合わせた新たなサーベイデータを通信型メモリに書き込むようにリードライト装置を制御する通信型メモリ書込制御手段と、
当回のサーベイデータをカードメモリに書き込むように読み書き装置を制御するカードメモリ書込制御手段と、
を備えることを特徴とするサーベイメータ。
【請求項２】
放射線を監視する監視地点に設置された通信型メモリと通信するサーベイメータであって、
放射線を検出して検出データを出力する検出部と、
取り外し可能なカードメモリに対してサーベイデータを読み書きする読み書き装置と、
アンテナと通信信号を入出力するリードライト装置と、
通信型メモリと無線で通信するアンテナと、
グラフィック表示および／またはテキスト表示を行う表示部と、
撮像により画像データを出力するカメラと、
監視地点に設置された通信型メモリと電磁結合されたか否かを判定する電磁結合判定手段と、
通信型メモリと電磁結合されたと判断される場合に、監視地点に設置された通信型メモリから過去のサーベイデータを読み出すようにリードライト装置を制御する通信型メモリ読出制御手段と、
検出部から出力された検出データに基づいて当回のサーベイデータを生成するサーベイデータ生成手段と、
過去のサーベイデータを当回のサーベイデータに組み合わせて生成した比較表示用のグラフィック表示データまたはテキスト表示データを表示部に出力させるように制御する表示部出力制御手段と、
カメラから出力された画像データを入力する画像データ入力手段と、
カメラから出力された画像データを当回のサーベイデータに関連させて新たな当回のサーベイデータを生成する画像データ付加手段と、
過去のサーベイデータと当回のサーベイデータとを組み合わせた新たなサーベイデータを通信型メモリに書き込むようにリードライト装置を制御する通信型メモリ書込制御手段と、
当回のサーベイデータをカードメモリに書き込むように読み書き装置を制御するカードメモリ書込制御手段と、
を備えることを特徴とするサーベイメータ。
【請求項３】
請求項１または請求項２のサーベイメータにおいて、
前記電磁結合判定手段と前記通信型メモリ読出制御手段とに代えて、
監視地点に設置された通信型メモリから過去のサーベイデータを読み出すようにリードライト装置を制御し、過去のサーベイデータが読み出された場合に監視地点に設置された通信型メモリと電磁結合されたと判断する通信型メモリ読出制御手段を備えることを特徴とするサーベイメータ。
【請求項４】
請求項１〜請求項３の何れか一項に記載のサーベイメータにおいて、
通信型メモリから読み出されるサーベイデータには自らの監視地点に係る監視地点データが含まれるようになされ、
巡視予定となっている複数の監視地点に係る監視予定地点データを登録した内部メモリと、
内部メモリから読み出した監視予定地点データから監視予定地点を表すグラフィック表示データまたはテキスト表示データを生成して表示部に出力させるように制御する表示部出力制御手段と、
監視終了した監視予定地点データに監視済みを表す監視済みデータを加えて内部メモリに書き込む内部メモリ書き込み手段と、
監視済みデータが付加された監視予定地点は監視済みであるように表示するか、または、未表示とするグラフィック表示データまたはテキスト表示データを生成して表示部に出力させるように制御する表示部出力制御手段と、
を備えることを特徴とするサーベイメータ。
【請求項５】
請求項１〜請求項４の何れか一項に記載のサーベイメータにおいて、
前記グラフィック表示は、検出日時における検出データの変化をグラフとして表したトレンド表示を含むことを特徴とするサーベイメータ。
【請求項６】
請求項１〜請求項５の何れか一項に記載のサーベイメータにおいて、
前記グラフィック表示は、検出日時と検出データとを帳票として表した帳票表示を含むことを特徴とするサーベイメータ。
【発明の詳細な説明】
【技術分野】
【０００１】
本発明は、放射線の管理区域で各種データを取得する測定器であるサーベイメータに関する。
【背景技術】
【０００２】
放射性同位元素等による放射線障害の防止に関する法律（昭和３２年法律第１６７号）の施行規則および告示等により、放射線取扱施設などに設定される管理区域は、外部被ばくだけが問題になる区域（放射線管理区域）と内部被ばくおよび外部被ばくの両方が問題になる区域（汚染管理区域）とに分けられている。
【０００３】
サーベイメータは、これら放射線管理区域または汚染管理区域（以下単に管理区域という）で放射線に関する各種データを測定するための装置である。このサーベイメータに要求される条件は、コンパクトに作られて小型軽量で携帯に便利なこと、取扱や保守が容易なこと、応答時間が速いこと、エネルギー特性が良好で感度の方向依存性が無いこと、温度や湿度の変化に対して安定していること、電磁誘導の影響を受けないこと、などが挙げられる。 
【０００４】
また、従来技術例として、携帯型のサーベイメータではないが、管理区域内で利用される装置として例えば特許文献１（発明の名称：放射線表示システム）が開示されている。
【０００５】
さらにまた、携帯型端末で無線を利用して放射線計測する従来技術例として、例えば特許文献２（発明の名称：放射線計測システム）が開示されている。
【０００６】
【特許文献１】特開平１１−２４８８３９号公報      （段落番号００１６〜００４１，図１）
【特許文献２】特開平８−２４８１３５号公報      （段落番号００２４〜００３１，図１）
【発明の開示】
【発明が解決しようとする課題】
【０００７】
従来から、このサーベイメータを用いて管理区域での環境を調査するパトロールサーベイが行われ、管理区域における放射線業務従事者の予測被ばく線量を評価して作業方法等を改善し、被ばくの防止と被ばく線量の低減化が図られている。このようなパトロールサーベイでは、サーベイメータに加えてカメラ（デジタルカメラ又はアナログカメラ）およびノートを持参し、サーベイメータに表示された表示値をサーベイデータとしてノートに記録し、また、管理区域の状況をカメラで撮影することでサーベイを行っている。そして、事務所に戻った後に過去のサーベイデータと比較し、異常を検出していた。
【０００８】
さてこのようなパトロールサーベイは、定点でサーベイをし続けることが原則であるが、同じ巡視員が同じサーベイメータで放射線検出作業を行ったとしても日によっては検出作業位置が異なることもある。さらに複数の巡視員が交代でパトロールを行う場合には、人によって検出作業位置が大幅に変化することもある。このように従来では、正確に同一場所の放射線検出作業を行うことができないおそれがあるという問題があった。また、検出作業位置が異なることに起因して放射線が増減して検出され、異常を見過ごしたり、または、不要な対策を施したりして、安全性の低下や運用コスト増大に繋がるおそれがあった。
【０００９】
また、パトロールサーベイ途中では過去のパトロールサーベイで得たサーベイデータと比較することができないため、変化があっても気がつかず、パトロールサーベイ終了後で事務所に戻った後に過去のサーベイデータと比較し、差異に気がついたとき再度監視地点に行くことで対処していた。
しかしながら、再度パトロールを行っても、状況が変化してその差異を再び確認することができないこともある。また、差異を確認したとしても初動対策が遅れてしまうおそれもあった。さらにまた、何度も管理区域に巡視員を派遣することは、安全上好ましいものではなく、できれば回避したいという要請があった。
【００１０】
さらに、現場の様子を報告するためカメラを使用しているが、写真と日付時刻・撮影位置との関連付けが難しく、写真とサーベイデータとを関連づける作業は手間を要するものであった。さらに、問題が発生したときにコンピュータ等で管理している過去の画像データの探索が大変であり、仮に対策に緊急を要する事象が発生したにも拘らず探索に時間を要してしまい、初動対策が遅れてしまうおそれもあった。
【００１１】
そこで、本発明は上記した問題に鑑みてなされたものであり、その目的は、複数いる巡視員の習熟度・個人差に影響されることなく同じ監視地点での正確な計測を可能とし、適格な放射線管理を実現するサーベイメータを提供することにある。
また、サーベイデータの管理を容易にして、変化を検出作業位置で直ちに確認できるように配慮したサーベイメータを提供することにある。
【課題を解決するための手段】
【００１２】
上記課題を解決するため、本発明の請求項１に係る発明のサーベイメータは、
放射線を監視する監視地点に設置された通信型メモリと通信するサーベイメータであって、
放射線を検出して検出データを出力する検出部と、
取り外し可能なカードメモリに対してサーベイデータを読み書きする読み書き装置と、
アンテナと通信信号を入出力するリードライト装置と、
通信型メモリと無線で通信するアンテナと、
グラフィック表示および／またはテキスト表示を行う表示部と、
監視地点に設置された通信型メモリと電磁結合されたか否かを判定する電磁結合判定手段と、
通信型メモリと電磁結合されたと判断される場合に、監視地点に設置された通信型メモリから過去のサーベイデータを読み出すようにリードライト装置を制御する通信型メモリ読出制御手段と、
検出部から出力された検出データに基づいて当回のサーベイデータを生成するサーベイデータ生成手段と、
過去のサーベイデータを当回のサーベイデータに組み合わせて生成した比較表示用のグラフィック表示データまたはテキスト表示データを表示部に出力させるように制御する表示部出力制御手段と、
過去のサーベイデータと当回のサーベイデータとを組み合わせた新たなサーベイデータを通信型メモリに書き込むようにリードライト装置を制御する通信型メモリ書込制御手段と、
当回のサーベイデータをカードメモリに書き込むように読み書き装置を制御するカードメモリ書込制御手段と、
を備えることを特徴とする。
【００１３】
また、本発明の請求項２に係る発明のサーベイメータは、
放射線を監視する監視地点に設置された通信型メモリと通信するサーベイメータであって、
放射線を検出して検出データを出力する検出部と、
取り外し可能なカードメモリに対してサーベイデータを読み書きする読み書き装置と、
アンテナと通信信号を入出力するリードライト装置と、
通信型メモリと無線で通信するアンテナと、
グラフィック表示および／またはテキスト表示を行う表示部と、
撮像により画像データを出力するカメラと、
監視地点に設置された通信型メモリと電磁結合されたか否かを判定する電磁結合判定手段と、
通信型メモリと電磁結合されたと判断される場合に、監視地点に設置された通信型メモリから過去のサーベイデータを読み出すようにリードライト装置を制御する通信型メモリ読出制御手段と、
検出部から出力された検出データに基づいて当回のサーベイデータを生成するサーベイデータ生成手段と、
過去のサーベイデータを当回のサーベイデータに組み合わせて生成した比較表示用のグラフィック表示データまたはテキスト表示データを表示部に出力させるように制御する表示部出力制御手段と、
カメラから出力された画像データを入力する画像データ入力手段と、
カメラから出力された画像データを当回のサーベイデータに関連させて新たな当回のサーベイデータを生成する画像データ付加手段と、
過去のサーベイデータと当回のサーベイデータとを組み合わせた新たなサーベイデータを通信型メモリに書き込むようにリードライト装置を制御する通信型メモリ書込制御手段と、
当回のサーベイデータをカードメモリに書き込むように読み書き装置を制御するカードメモリ書込制御手段と、
を備えることを特徴とする。
【００１４】
また、本発明の請求項３に係る発明のサーベイメータは、
請求項１または請求項２のサーベイメータにおいて、
前記電磁結合判定手段と前記通信型メモリ読出制御手段とに代えて、
監視地点に設置された通信型メモリから過去のサーベイデータを読み出すようにリードライト装置を制御し、過去のサーベイデータが読み出された場合に監視地点に設置された通信型メモリと電磁結合されたと判断する通信型メモリ読出制御手段を備えることを特徴とする。
【００１５】
また、本発明の請求項４に係る発明のサーベイメータは、
請求項１〜請求項３の何れか一項に記載のサーベイメータにおいて、
通信型メモリから読み出されるサーベイデータには自らの監視地点に係る監視地点データが含まれるようになされ、
巡視予定となっている複数の監視地点に係る監視予定地点データを登録した内部メモリと、
内部メモリから読み出した監視予定地点データから監視予定地点を表すグラフィック表示データまたはテキスト表示データを生成して表示部に出力させるように制御する表示部出力制御手段と、
監視終了した監視予定地点データに監視済みを表す監視済みデータを加えて内部メモリに書き込む内部メモリ書き込み手段と、
監視済みデータが付加された監視予定地点は監視済みであるように表示するか、または、未表示とするグラフィック表示データまたはテキスト表示データを生成して表示部に出力させるように制御する表示部出力制御手段と、
を備えることを特徴とする。
【００１６】
また、本発明の請求項５に係る発明のサーベイメータは、
請求項１〜請求項４の何れか一項に記載のサーベイメータにおいて、
前記グラフィック表示は、検出日時における検出データの変化をグラフとして表したトレンド表示を含むことを特徴とする。
【００１７】
また、本発明の請求項６に係る発明のサーベイメータは、
請求項１〜請求項５の何れか一項に記載のサーベイメータにおいて、
前記グラフィック表示は、検出日時と検出データとを帳票として表した帳票表示を含むことを特徴とする。
【発明の効果】
【００１８】
このような本発明によれば、複数いる巡視員の習熟度・個人差に影響されることなく同じ監視地点での正確な計測を可能とし、適格な放射線管理を実現するサーベイメータを提供することができる。
また、サーベイデータの管理を容易にして、変化を検出作業位置で直ちに確認できるように配慮したサーベイメータを提供することができる。
【発明を実施するための最良の形態】
【００１９】
続いて、本発明を実施するための最良の形態について、図を参照しつつ説明する。図１は本形態のサーベイメータ１００の斜視外観図である。サーベイメータ１００は、図１で示すように、ハンディタイプであり、表示部６０、操作部７０が表面に形成されている。また、カードメモリ２００が着脱可能である。
【００２０】
図２は、本形態のサーベイメータ１００の使用を説明する説明図である。監視地点には表示板４００が配置されており、放射線を監視する監視地点であることが表示されている。このような表示板４００には通信型メモリ３００が貼付けられており、サーベイメータ１００はこの通信型メモリ３００と通信する。
【００２１】
続いてこのようなサーベイメータ１００の構成について図を参照しつつ説明する。図３は本形態のサーベイメータ１００のブロック構成図である。サーベイメータ１００は、図１で示すように、検出部１０、カメラ２０、内部メモリ３０、読み書き装置４０、ＣＰＵ５０、表示部６０、操作部７０、リードライト装置８０、アンテナ９０を備えている。
【００２２】
検出部１０は放射線を検出して検出データを出力する機能を有している。検出部１０は各種放射線（α線，β線，γ線）を検出するものであるが、本形態では、発明の具体化のため、β線とγ線とを検出するものとして、β線検出部１１、変換回路１２、γ線検出部１３、変換回路１４を備えるとして説明する。β線検出部１１でβ線を検出して変換回路１２へ信号を出力し、変換回路１２で信号増幅の上でデジタルのβ線検出データに変換して出力する。同様に、γ線検出部１３でγ線を検出して変換回路１４へ信号を出力し、変換回路１４で信号増幅の上でデジタルのγ線検出データに変換して出力する。これらβ線検出データ，γ線検出データは、検出部１０に接続されているＣＰＵ５０へ出力され、内部メモリ３０にて保存される。
【００２３】
カメラ２０は、デジタルカメラとして機能し、図示しないが、レンズ、ＣＣＤ、画像データ処理装置等を備えている。このカメラ２０が撮像した画像データは、カメラ２０に接続されているＣＰＵ５０へ出力され、内部メモリ３０にて保存される。
内部メモリ３０は、各種データの一時的な保存や、各種データ処理時のワークエリアとして利用される。
読み書き装置４０は、取り外し可能な記憶媒体であるカードメモリ２００に対して各種データを読み書きする。
【００２４】
ＣＰＵ５０は、検出部１０、カメラ２０、内部メモリ３０、読み書き装置４０、表示部６０、操作部７０、リードライト装置８０と接続されている。なお、実際の使用に伴う処理については後述する。
表示部６０は、グラフィック表示やテキスト表示を行う。なお表示内容も後述する。
【００２５】
操作部７０は、カメラ操作、記憶操作、表示切り換え操作、選択操作を行うためのスイッチ部である。なお操作についても実際の使用に伴う処理の説明で一括して説明される。
リードライト装置８０は、アンテナ９０と通信可能に接続されている。
アンテナ９０は、通信型メモリ３００と所定範囲内にある場合に、通信型メモリ３００の図示しないループアンテナと電磁結合して通信可能に接続される。
【００２６】
カードメモリ２００は、取り外し可能に構成されたメモリであり、各種規格が存在するが、例えばＳＤカードである。
通信型メモリ３００は、詳しくはＩＣチップをプラスチックのカードに封入したＩＣカードであったり、ＩＣチップをタグ（数ミリ角）の形状にしたＩＣタグである。また、これらＩＣカードまたはＩＣタグに共通して搭載されるＩＣチップはメモリのみ搭載した通常タイプであったり、または、メモリとＣＰＵを搭載したインテリジェントタイプであっても良い。
【００２７】
また、非接触型ＩＣチップの場合には、データが読み書きできる距離によって「密着型（２ｍｍ以内）」、「近接型（１０ｃｍ以内）」、「近傍型（７０ｃｍ以内）」といった分類があり、いずれの型でも採用が可能である。
以下、本形態では近接型（１０ｃｍ以内）の非接触型のＩＣタグによる通信型メモリ３００であるものとして説明する。
【００２８】
これらＣＰＵ５０、リードライト装置８０、アンテナ９０、通信型メモリ３００とでは、ＣＰＵ５０から読み出しコマンドを送信して通信型メモリ３００から読み出しデータを読み出したり、また、ＣＰＵ５０から書き込みコマンドと書き込みデータを送信して通信型メモリ３００に書き込んだりすることができる。
これは詳しくは、以下のようなデータ通信がなされる。
【００２９】
データの読み出しを行いたい場合、リードライト装置８０は、ＣＰＵ５０から出力された読み出しコマンドをキャリア信号に重畳して変調信号とし、さらにこの変調信号を増幅して通信型メモリ３００への送信信号を生成し、アンテナ９０をドライブして通信型メモリ３００側に電波(電磁波）で送信信号を伝達して読み出しコマンドおよび電力を通信型メモリ３００に送信する。通信型メモリ３００は、図示しないループアンテナによって、上記送信信号を受信し、電源回路でキャリア信号から電源電圧を発生させると同時に、受信回路によって変調信号を復調して読み出しコマンドを生成してメモリから所望の読み出しデータを読み出す。そして、送信回路によって読み出しデータをキャリア信号に重畳して変調信号を生成し、ループアンテナをドライブして電波(電磁波）で伝達する。リードライト装置８０はアンテナ９０によって変調信号を受信し、復調を行って、読み出しデータを得てＣＰＵ５０へ出力する。
【００３０】
データの書き込みを行いたい場合、リードライト装置８０は、ＣＰＵ５０から出力された書き込みコマンドおよび書き込みデータをキャリア信号に重畳して変調信号とし、さらにこの変調信号を増幅して通信型メモリ３００への送信信号を生成し、アンテナ９０をドライブして通信型メモリ３００側に電波(電磁波）で送信信号を伝達して書き込みコマンド，書き込みデータおよび電力を通信型メモリ３００に送信する。通信型メモリ３００は、図示しないループアンテナによって、上記送信信号を受信し、電源回路でキャリア信号から電源電圧を発生させると同時に、受信回路によって変調信号を復調して書き込みコマンドおよび書き込みデータを生成してメモリへ書き込みデータを書き込むとともに書き込み終了データを生成する。そして、送信回路によって書き込み終了データをキャリア信号に重畳して変調信号を生成し、送信回路がループアンテナをドライブして電波(電磁波）で伝達する。リードライト装置８０はアンテナ９０によって受信し、復調を行って、書き込み終了データをＣＰＵ５０へ出力する。
【００３１】
続いて、本形態のサーベイメータ１００の利用方法について図を参照しつつ説明する。図４，図５は本形態のサーベイメータ１００を用いるパトロールサーベイのフローチャートである。図６〜図１１は、本形態のサーベイメータ１００の処理を説明するフローチャートである。図１２は、本形態のサーベイメータ１００によるトレンド表示の説明図、図１３は、本形態のサーベイメータ１００による帳票表示の説明図である。
【００３２】
まず、前提として、施設内が放射線管理区域、放射線管理区域前室、事務所と分けられており、放射線管理区域と放射線管理区域前室とが入り口で隔てられているものとする。放射線管理区域前室にサーベイメータ１００が置かれているものとする。
そして放射線管理区域内で多数の監視地点が決定され、これら監視地点にはそれぞれ図２で示したような表示板４００が設置されているものとする。この表示板４００は目立つ色合であって監視地点であることを表示するものであり、さらに表示板４００上に通信型メモリ３００を貼り付けておく。この通信型メモリ３００は堅牢タイプのＩＣタグを設置しておく。このような配慮により、パトロールサーベイ（巡視）を行う巡視員に監視地点であることの注意が確実に喚起される。これにより、巡視員が複数いて日替わりでパトロールサーベイを行う体制であるとしても、巡視員の個人差によらずに監視地点が確実に認識され、同一場所で必要とするデータを取りこぼすことなく取得することができる。
【００３３】
このような状況下でのパトロールサーベイについて図４を参照しつつ説明する。まず、巡視員は事務所から放射線管理区域前室へ移動する。この放射線管理区域前室で、データが記録されていないカードメモリ２００をサーベイメータ１００に装着し、このサーベイメータ１００を携帯する（図４のステップＳ１）。このサーベイメータ１００は、単体でβ線，γ線の検出データの記録およびカメラにより画像データの記録が可能であり、他に携帯が必要なものを無くして放射線汚染されるものをサーベイメータ１００のみとしている。
【００３４】
続いて、サーベイメータ１００を携帯して放射線管理区域内に入ってパトロールサーベイを開始し、最初の監視地点に向かう（図４のステップＳ２）。所定巡回経路で監視地点を順番に複数巡るものであるが、最初の監視地点へまず向かうこととなる。巡視員が到着すると、監視地点に設置している通信型メモリ３００にサーベイメータ１００を近づけて過去のサーベイデータを読み込ませる（図４のステップＳ３）。
【００３５】
この場合、サーベイメータ１００は、図６で示すように動作する。
まずＣＰＵ５０は、監視地点に設置された通信型メモリ３００と電磁結合されたか否かを判定する（図６のステップＳ３ａ）。この電磁結合されたか否かは、例えば、ダミーデータの読み出しコマンドを送信してダミーデータが返信された場合に電磁結合がされていると判断できる。
【００３６】
ＣＰＵ５０は、通信型メモリ３００と電磁結合されたと判断される場合に、自動的に通信型メモリ３００からの読み出し動作を開始し、監視地点に設置された通信型メモリ３００から過去のサーベイデータを読み出すようにリードライト装置８０を制御する（図６のステップＳ３ｂ）。すると、通信型メモリ３００、アンテナ９０、リードライト装置８０を経て過去のサーベイデータをＣＰＵ５０が読み込む。このサーベイデータは、後に詳述するが、基本的に月日時刻データ、監視地点データ、線量データ、表面汚染データであり、場合によっては画像データが加えられている。
【００３７】
先に説明したように通信型メモリ３００は近接型で詳しくは図１でも示すように１０ｃｍ程度の距離に近づけないと読み書きできないタイプであるため、巡視員は通信型メモリ３００にサーベイメータ１００を近づけて読み込ませる必要がある。換言すれば、通信型メモリ３００から１０ｃｍの範囲内にサーベイメータ１００が位置することとなる。
【００３８】
図４に戻るが、サーベイメータ１００によりサーベイを実行して当回のサーベイデータを取得する（図４のステップＳ４）。なお、このサーベイは、巡視員が操作部７０を操作して取得しても良く、また、上記の図６のステップＳ３ｂ終了後に自動的に直ちにサーベイを行って取得しても良く、これら実行は適宜選択されるが、本形態では自動的に行われるものとして説明する。
【００３９】
この場合、サーベイメータ１００は、図７で示すように動作する。
まずＣＰＵ５０は、検出部１０から出力された検出データを取り込む（図７のステップＳ４ａ）。巡視員がサーベイメータ１００の操作部７０の選択操作を行うとβ線を検出するかγ線を検出するかが選択されるようになされており、例えば、予めβ線が選択されていたならばＣＰＵ５０は、β線検出部１１から出力され、変換回路１２を経てデジタルデータ化されたβ線検出データを読み込む。また、予めγ線が選択されていたならばγ線検出データを読み込む。さらにはβ線・γ線と順次検出して、β線検出データおよびγ線検出データを読み込むような設定としてもよい。
【００４０】
ここで先に述べたように通信型メモリ３００の１０ｃｍ範囲内にサーベイメータ１００があるため、日時・人に影響されることなくほぼ同じ位置で検出が行われる。このように、検出前にサーベイメータ１００が通信型メモリＩＣ３００から過去のサーベイデータを読み出すようにしたため、サーベイメータ１００を確実に同じ位置（無線通信可能範囲内）に誘導するように機能している。
【００４１】
ＣＰＵ５０は、このように検出部から出力されたβ線，γ線の検出データに基づいて当回のサーベイデータを生成する（図７のステップＳ４ｂ）。このサーベイデータは、月日時刻データ、監視地点データ、線量データ、表面汚染データである。月日時刻データおよび監視地点データは、通信型メモリ３００から読み出されたデータを使用する。このようにこれら関係する一連のデータを紐付けにして管理可能とするため、放射線データ，場所，日付時刻，現場映像についてデータが検索しやすくなる。
【００４２】
続いて、ＣＰＵ５０は過去のサーベイデータを当回のサーベイデータに組み合わせて比較表示用のグラフィック表示データを生成して、表示部６０にグラフィック表示により出力させるように制御して、トレンド表示を行う（図７のステップＳ４ｃ）。このようなトレンド表示は図１２で示すように検出日時における検出データの変化をグラフとして表した表示となり、例えば月日別に線量や表面汚染のトレンド変化が表示される。
【００４３】
なお、上記したグラフィック表示では表示部６０に帳票表示を行うようにしても良い。このような帳票表示は図１３で示すように月日時刻データ、監視地点データ、線量データ、表面汚染データを帳票として表した表示となる。また、グラフィック表示ではなく、単に月日時刻データ、監視地点データ、線量データ、表面汚染データをそのまま表示するテキスト表示としても良い。
さらにはグラフィック表示データおよびテキスト表示データの両方をともに生成してトレンド表示、帳票表示、およびテキスト表示を共に行っても良い。これら表示はサーベイメータ１００の操作部７０の表示切換操作を行って、切換えるものである。
【００４４】
図４に戻るが、巡視員は当回の巡視によるサーベイデータと過去のサーベイデータとで変化があるか否かについて考察判断し（図４のステップＳ５）、問題が無ければそのままこの地点でのサーベイを終了するが、汚染レベルについて変化があると考察したならば、原因を調査する（図４のステップＳ６）。そして、問題があると感じられる箇所について、巡視員は、サーベイメータ１００の操作部７０のカメラ操作を行って、サーベイメータ１００が内蔵するカメラ２０により写真撮影したり（図４のステップＳ７）、事務所の上司へ緊急に報告して対処を求めるようにしても良い。
【００４５】
この場合、サーベイメータ１００は、図８で示すように動作する。
ＣＰＵ５０は、操作部７０での操作に応じてカメラ２０が撮像するように制御して、画像データをカメラ２０から出力させる（図８のステップＳ７ａ）。
ＣＰＵ５０は、カメラ２０から出力された画像データを当回のサーベイデータに関連させて新たな当回のサーベイデータを生成する（図８のステップＳ７ｂ）。このサーベイデータは、月日時刻データ、監視地点データ、線量データ、表面汚染データに加えて画像データを関連づけて一のサーベイデータを生成するものであり、紐付けのデータとなってデータ整理がなされる。
【００４６】
図４に戻るが、巡視員はサーベイメータ１００の操作部７０の記憶操作を行って、通信型メモリ３００に生成したサーベイデータを書き込ませる（図４のステップＳ８）。この場合、サーベイメータ１００は巡視員により当然に通信型メモリ３００との通信範囲内に移動させられている。
この場合、サーベイメータ１００は、図９で示すように動作する。
ＣＰＵ５０は、過去のサーベイデータと当回のサーベイデータとを組み合わせた新たなサーベイデータを通信型メモリ３００に書き込むようにリードライト装置８０を制御する（図９のステップＳ８ａ）。
続いて、リードライト装置８０が新たなサーベイデータを通信型メモリ３００に書き込む（図９のステップＳ８ｂ）。
このように検出したサーベイデータを監視地点にある通信型メモリ３００に書き込むことが可能となる。この場合、書き込める容量があれば問題がないが、既に書き込める容量が残っていない場合でも最も過去のサーベイデータが書き込まれているアドレスを検索してその上に上書きすることとなる。
【００４７】
図４に戻るが、先のサーベイメータ１００の操作部７０の記憶操作により、カードメモリ２００にサーベイデータを書き込ませる（図４のステップＳ９）。
この場合、サーベイメータ１００は、図１０で示すように動作する。
ＣＰＵ５０は、当回のサーベイデータをカードメモリ２００に書き込むように読み書き装置４０を制御する（図１０のステップＳ９ａ）。
続いて、読み書き装置４０が当回のサーベイデータをカードメモリ２００に書き込む（図１０のステップＳ９ｂ）。
これにより監視地点でのサーベイが完了することとなる。
【００４８】
図４に戻るが、まだサーベイを行っていない他の監視地点があるならば（図４のステップＳ１０でＮＯ）、次の監視地点に移動して（図４のステップＳ１１）、同様のサーベイを繰り返す。以下、全ての監視地点で図４のステップＳ３〜ステップＳ９の一連のサーベイを繰り返し行い、全部の監視地点でサーベイを行ったならば（図４のステップＳ１０でＹＥＳ）、サーベイメータ１００を放射線管理区域前室まで持ち帰る（図５のステップＳ１２）。そして、サーベイメータ１００からカードメモリ２００を取り出して（図５のステップＳ１３）、サーベイメータ１００を返却し（図５のステップＳ１４）、カードメモリ２００のみ事務所に持ち帰り、カードメモリ２００から当回のサーベイデータを読み出して、より詳しいコンピュータ解析を行う（図５のステップＳ１５）。
巡視員によりパトロールサーベイの一連の流れはこのようなものとなる。
【００４９】
さて、上記したサーベイメータ１００では図６で示すように電磁結合されたか否かを判定して、電磁結合された場合に通信型メモリ３００から過去のサーベイデータを読み出すようにしている。しかしながらこの電磁結合の有無の判断を省略することができる。このような他の形態について説明する。この場合、上記した図６のステップＳ３ａ，Ｓ３ｂに代えて図１１のステップＳ３ｃ，Ｓ３ｄを行わせるものである。
ＣＰＵ５０は、図１１で示すように、最初に監視地点に設置された通信型メモリ３００から過去のサーベイデータを読み出すようにリードライト装置８０を制御する（図１１のステップＳ３ｃ）。そして、過去のサーベイデータが読み出された場合にＣＰＵ５０は、監視地点に設置された通信型メモリ３００と電磁結合されたと判断する（図１１のステップＳ３ｄ）。
【００５０】
つまり、過去のサーベイデータが読み出せる状態であるならば電磁結合がされたとして、電磁結合の判定を省略するものである。通信型メモリ３００から過去のサーベイデータを読み出した後のサーベイによる検出データの取得時でも充分通信可能地域に近いため、位置精度を高めている。このような構成としても、通信可能範囲での計測となるように限定して、計測データの計測位置精度を向上させている。
【００５１】
以上本発明のサーベイメータ１００について説明した。本形態ではさらに各種の変形が可能である。例えば、図４のステップＳ１０では全部の監視地点でサーベイを行ったかを判定しているが、先に説明した形態では人間の判断によっている。このため、新人の巡視員が巡視して監視地点を見過ごしたり、また、経験豊富な巡視員でも巡視経路が複雑な場合には監視地点を通過してしまうおそれもある。しかしながら、監視地点のチェックのために筆記具・メモ類を持ち込むことは、放射線汚染を少なくする観点から好ましくない。そこで、監視地点およびその監視地点で監視終了したか否かを巡視員に通知する機能があることがより好ましい。このような形態について説明する。
【００５２】
先に説明したが、通信型メモリ３００に登録されているサーベイデータは、月日時刻データ、監視地点データ、線量データ、表面汚染データであり、場合によっては画像データが加えられているデータである。そこでこの監視地点データを利用する。
まず、サーベイメータ１００を操作して、巡視予定となっている複数の監視地点に係る監視予定地点データを内部メモリ３０に登録させる。これは図４のステップＳ１の前に行われる手順である。
【００５３】
この登録は各種考えられる。例えば、サーベイメータ１００の設定を巡視箇所別に異なるようにイニシャライズするイニシャライズデータを登録した複数のカードメモリ２００を予め準備して放射線管理区域前室にその巡視箇所のカードメモリ２００を配置しておき、巡視開始前にこのカードメモリ２００を装填してＣＰＵ５０がこのカードメモリ２００からイニシャライズデータを読み出し、このデータに含まれる監視地点予定データを内部メモリ３０に登録するようにしても良い。
【００５４】
また、放射線管理区域前室に配置された通信型メモリ３００に、サーベイメータ１００の設定をこの放射線管理区域用にイニシャライズするイニシャライズデータを登録しておき、巡視前にサーベイメータ１００を通信型メモリ３００と電磁結合させる位置に配置して、ＣＰＵ５０がこの通信型メモリ３００からイニシャライズデータを読み出すようにして、このデータに含まれる監視地点予定データを内部メモリ３０に登録するようにしても良い。
【００５５】
また、ＣＰＵ５０に赤外線通信装置（図示せず）を接続しておき、放射線管理区域前室に配置されたコンピュータ（図示せず）に接続された赤外線通信装置とでデータの送受信を可能に構成し、このコンピュータに、サーベイメータ１００の設定をこの放射線管理区域用にイニシャライズするようなイニシャライズデータを登録しておき、巡視前にサーベイメータ１００をコンピュータと赤外線通信するようにセットし、ＣＰＵ５０がこのコンピュータからイニシャライズデータを読み出すようにして、このイニシャライズデータに含まれる監視地点予定データを内部メモリ３０に登録するようにしても良い。
【００５６】
これらの何れかの方法によりイニシャライズして監視地点予定データを内部メモリ３０に登録する。すると、ＣＰＵ５０は、内部メモリ３０から読み出した監視予定地点データから未監視の地点を表すグラフィック表示データまたはテキスト表示データを生成して表示部に出力させるように制御する。例えば、監視地点予定の箇所を全て表示する。
【００５７】
そして図４のステップＳ１〜ステップＳ９までを行ってカードメモリ２００にデータを書き込ませて一連のサーベイを終えたとする。すると、サーベイメータ１００は、図１４で示すように動作する。
ＣＰＵ５０は、監視終了した監視予定地点データに監視済みを表す監視済みデータを関連づけて内部メモリ３０に書き込む（図１４のステップＳ２１）。
続いて、ＣＰＵ５０は、監視済みデータが付加された監視予定地点は監視済みであるように表示するグラフィック表示データまたはテキスト表示データを生成して表示部６０に出力させるように制御する（図１４のステップＳ２２）。
例えば、予め全部の監視予定地点を表示しておき（例えば「監視地点Ａ，監視地点Ｂ，・・・，監視地点Ｚ」）、サーベイ終了した監視予定地点（例えば「監視地点Ａ」）の横に「監視済み」と追加表示するものである。
これにより監視予定地点のうち監視済みである地点と未監視である地点とが比較表示されるため、全ての監視地点を確実に巡視させることができる。
【００５８】
なお、図１４のステップＳ２１に代えて図１５のようにしても良い。
ＣＰＵ５０は、監視終了した監視予定地点データに監視済みを表す監視済みデータを関連づけて内部メモリに書き込む（図１４のステップＳ２３）。
続いて、ＣＰＵ５０は、監視済みデータが付加された監視予定地点は未表示とするように表示するグラフィック表示データまたはテキスト表示データを生成して表示部６０に出力させるように制御する（図１４のステップＳ２４）。
例えば、予め全部の監視予定地点を表示しておき（例えば「監視地点Ａ，監視地点Ｂ，・・・，監視地点Ｚ」）、サーベイ終了した監視予定地点（例えば「監視地点Ａ」）の表示を消して表示する（例えば「監視地点Ｂ，・・・，監視地点Ｚ」）ものである。
これにより監視予定地点のうち未監視の地点のみ表示されるため、残る監視地点を巡視していき全ての監視地点を巡視すると、監視地点が全て未表示になる。このようにしても、確実に巡視させることができる。
サーベイメータ１００はこのように構成しても良い。
【００５９】
また、他の形態として、例えば、通信型メモリ３００を非接触型で「近接型（１０ｃｍ以内）」であるとして説明したが、「密着型（２ｍｍ以内）」や、「近傍型（７０ｃｍ以内）」の通信型メモリ３００としても良い。このような範囲でもサーベイできるポイントを確実に狭めるため、この場合でも精度の高い計測が可能となる。
【００６０】
本発明によれば、以下のような利点を有する。
（１）複数いる巡視員の個人差によらず、監視地点の同一場所・同一ポイントでサーベイを行う。
サーベイメータ１００が通信型メモリ３００から読み込める箇所に限定して測定するように配慮したため、巡視員が変っても同一場所のほぼ同一ポイントでサーベイが可能となる。しかもサーベイメータ１００と通信型メモリ３００との通信範囲が、例えば、１０ｃｍというように近距離に限定される場合は、さらに狭いスポットに誘導してサーベイすることとなり、サーベイ位置がずれるおそれが殆どなくなるという利点がある。
【００６１】
（２）その場で過去のサーベイデータとの比較表示を行う。
従来技術ではパトロールサーベイ終了後に一旦事務所に戻ってトレンド解析により環境変化の有無を検出し、問題がある場合にその環境変化があった監視地点へ戻っていたが無駄な時間を要するものであり、放射線管理の観点から好ましくない。
しかしながら本形態では、その場で過去のサーベイデータと比較できるため、新人の巡視員がパトロールサーベイを行う場合でも環境変化を監視地点で直ちに気が付き、すばやい初動対策、放射線管理および指導が実施できる。また、トレンド表示を採用して、視覚的・直感的に環境変化を検出したり、また、帳票表示を採用して定量的に環境変化を検出できるようにしたため、この点でも環境変化を気づきやすくしている。
【００６２】
（３）本形態のサーベイメータ１００ではデジタルカメラであるカメラ２０を搭載し、環境変化を写真である画像データからも検出できる。また、画像データは他のデータと一括してまとめたサーベイデータとなるため、後で各データを組み合わせるようなデータ整理をする必要もなく、検索も容易である。
【００６３】
（４）サーベイデータは、月日時刻データ、監視地点データ、線量データ、表面汚染データに加えて画像データをセットで管理し、カードメモリ２００で計算機システムに取込み可能とする。
パトロール時の異常数値と画像を１対１で管理することにより、パトロール後に事務所で多くの経験者が映像を見ながら分析し、さらなる対策を実施でき、またこの対策の効果を次回容易に比較確認できる。また、カードメモリ２００のみ持ち出すが、カードメモリ２００はサーベイメータ１００の内部に配置されているため放射線汚染（特に表面汚染）されておらず、放射線汚染されたものが放射線管理領域から外部へ持ち出されることはない。また、サーベイデータがセットでカードメモリ２００に登録されて持ち運びできるため、容易にサーバに取り込むことができる。
【００６４】
（５）また、本形態のサーベイメータ１００は過去のサーベイデータを通信型メモリ３００に書き込んで、その場にサーベイデータを保存するものであり、サーベイメータ１００自体がデータを保存しないため、ハードディスクのような大容量のものではなく容量の少ない内部メモリやカードメモリ２００を利用することができる。また、ハードディスクを搭載不要としたため、サーベイメータ１００の耐震性が向上し、故障等の発生のおそれも低減している。
【００６５】
（６）また、あるサーベイメータ１００が仮に故障しても、過去のサーベイデータは外部で管理しているため貴重なデータが消失することはない。また、故障しても他のサーベイメータ１００で代用できる。さらにまた、データは二カ所で登録しているため、仮に一カ所でなくなっても、バックアップ機能を果たすこともできる。
【００６６】
以上、本発明のサーベイメータ１００について説明した。このサーベイメータ１００によれば、複数いる巡視員の習熟度・個人差に影響されることなく同じ監視地点での正確な計測を可能とし、適格な放射線管理を実現するサーベイメータ１００を提供することができる。
【図面の簡単な説明】
【００６７】
【図１】本発明を実施するための最良の形態のサーベイメータの斜視外観図である。
【図２】本発明を実施するための最良の形態のサーベイメータの使用を説明する説明図である。
【図３】本発明を実施するための最良の形態のサーベイメータのブロック構成図である。
【図４】本発明を実施するための最良の形態のサーベイメータを用いるパトロールサーベイのフローチャートである。
【図５】本発明を実施するための最良の形態のサーベイメータを用いるパトロールサーベイのフローチャートである。
【図６】本発明を実施するための最良の形態のサーベイメータの処理を説明するフローチャートである。
【図７】本発明を実施するための最良の形態のサーベイメータの処理を説明するフローチャートである。
【図８】本発明を実施するための最良の形態のサーベイメータの処理を説明するフローチャートである。
【図９】本発明を実施するための最良の形態のサーベイメータの処理を説明するフローチャートである。
【図１０】本発明を実施するための最良の形態のサーベイメータの処理を説明するフローチャートである。
【図１１】本発明を実施するための最良の形態のサーベイメータの処理を説明するフローチャートである。
【図１２】本発明を実施するための最良の形態のサーベイメータのトレンド表示の説明図である。
【図１３】本発明を実施するための最良の形態のサーベイメータの帳票表示の説明図である。
【図１４】本発明を実施するための最良の形態のサーベイメータの帳票表示の説明図である。
【図１５】本発明を実施するための最良の形態のサーベイメータの帳票表示の説明図である。
【符号の説明】
【００６８】
１００：サーベイメータ
１０：検出部
１１：β線検出部
１２：変換回路
１３：γ線検出部
１４：変換回路
２０：カメラ
３０：内部メモリ
４０：読み書き装置
５０：ＣＰＵ
６０：表示部
７０：操作部  
８０：リードライト装置
９０：アンテナ
２００：カードメモリ
３００：通信型メモリ
４００：表示板
【図１】
2006058103.tif 000003
【図２】
2006058103.tif 000004
【図３】
2006058103.tif 000005
【図４】
2006058103.tif 000006
【図５】
2006058103.tif 000007
【図６】
2006058103.tif 000008
【図７】
2006058103.tif 000009
【図８】
2006058103.tif 000010
【図９】
2006058103.tif 000011
【図１０】
2006058103.tif 000012
【図１１】
2006058103.tif 000013
【図１２】
2006058103.tif 000014
【図１３】
2006058103.tif 000015
【図１４】
2006058103.tif 000016
【図１５】
2006058103.tif 000017